(57)【要約】  情報記録媒体（１００）は、レーザ光を照射して情報を記録するための複数の記録層（１１６、１２６）を備えた情報記録媒体であって、前記複数の記録層の少なくとも一つは、情報を記録する際における複数の記録層毎の最適記録パワーの比を示す比情報が記録される管理情報領域（１１２、１２２）を有する。このため、複数の記録層を有する情報記録媒体であっても、比較的容易に適切な記録パワーで情報の記録を行なうことができる。
2005031719.tif 000002
【特許請求の範囲】
【請求項１】
レーザ光を照射して情報を記録するための複数の記録層を備えた情報記録媒体であって、
前記複数の記録層の少なくとも一つは、前記情報を記録する際における前記複数の記録層毎の最適記録パワーの比を示す比情報が記録される管理情報領域を有することを特徴とする情報記録媒体。
【請求項２】
前記管理情報領域は、前記複数の記録層毎に設けられていることを特徴とする請求の範囲第１項に記載の情報記録媒体。
【請求項３】
前記管理情報領域には、前記比情報として、前記複数の記録層のうち一の記録層における前記最適記録パワーを基準値として、前記複数の記録層毎の前記最適記録パワーの比を示す情報が記録されていることを特徴とする請求の範囲第１項に記載の情報記録媒体。
【請求項４】
前記管理情報領域には、前記比情報に加えて又は代えて、前記複数の記録層毎の前記最適記録パワーの差分を示す差分情報が記録されていることを特徴とする請求の範囲第１項に記載の情報記録媒体。
【請求項５】
前記管理情報領域には、前記複数の記録層の夫々に係る状態に応じた前記比情報が記録されていることを特徴とする請求の範囲第１項に記載の情報記録媒体。
【請求項６】
前記管理情報領域には、前記複数の記録層の夫々に係る記録位置に応じた前記比情報が記録されていることを特徴とする請求の範囲第１項に記載の情報記録媒体。
【請求項７】
情報を記録するための複数の記録層を有する情報記録媒体に前記情報を記録する情報記録装置であって、
前記情報を記録する際における前記複数の記録層毎の最適記録パワーの比を示す比情報を格納する格納手段と、
前記格納手段に格納される比情報に応じた記録パワーにて、前記複数の記録層のうち少なくとも一つへ前記情報を記録する記録手段と
を備えることを特徴とする情報記録装置。
【請求項８】
前記格納手段には、前記情報記録媒体の種類に対応した前記比情報が格納され、
前記情報記録媒体の前記種類を識別して、前記格納手段に格納される前記比情報のうちから対応する比情報を選択する第１選択手段を更に備え、
前記記録手段は、前記第１選択手段により選択された比情報に応じた記録パワーにて、前記情報を記録することを特徴とする請求の範囲第７項に記載の情報記録装置。
【請求項９】
前記格納手段には、前記比情報として、前記複数の記録層のうち一の記録層の前記最適記録パワーを基準値として、前記複数の記録層毎の前記最適記録パワーの比を示す情報が記録されていることを特徴とする請求の範囲第７項に記載の情報記録装置。
【請求項１０】
前記複数の記録層の少なくとも一つには、前記比情報が記録される管理情報領域を有しており、
前記管理情報領域から前記比情報を読み込む読込手段を更に備えており、
前記格納手段は、前記読み込まれた比情報を格納することを特徴とする請求の範囲第７項に記載の情報記録装置。
【請求項１１】
前記格納手段に前記比情報が格納されているか否かを判定する判定手段を更に備えており、
前記格納手段には、前記比が格納されていないと判定された場合、前記管理情報領域から読み込まれた前記比情報が格納されることを特徴とする請求の範囲第１０項に記載の情報記録装置。
【請求項１２】
前記格納手段に前記比情報が格納されているか否かを判定する判定手段と、
前記比が格納されていないと判定された場合、前記複数の記録層のうち少なくとも一つの記録層において記録パワーの較正を行なうことで前記比を求め、且つ該求められた比を前記比情報として格納手段に格納する較正手段と
を更に備えることを特徴とする請求の範囲第７項に記載の情報記録装置。
【請求項１３】
前記較正手段は、前記比情報を前記情報記録媒体及び前記格納手段のうち少なくとも一方に記録することを特徴とする請求の範囲第１０項に記載の情報記録装置。
【請求項１４】
前記格納手段には、前記比情報に代えて又は加えて、前記情報を記録する際における前記複数の記録層毎の最適記録パワーの差分を示す差分情報及び前記情報を記録する際における前記複数の記録層毎の最適記録パワーの絶対値を示すパワー情報のうち少なくとも一方が格納されていることを特徴とする請求の範囲第７項に記載の情報記録装置。
【請求項１５】
請求の範囲第１項に記載の情報記録媒体に情報を記録する情報記録装置であって、
前記管理情報領域に記録された比情報を読み込む読込手段と、
前記読み込まれた比情報に応じた記録パワーにて、前記情報を前記複数の記録層のうち少なくとも一つへ記録する記録手段と
を備えることを特徴とする情報記録装置。
【請求項１６】
前記情報を記録する際における前記複数の記録層毎の最適記録パワーの比を示す比情報を格納する格納手段と、
前記格納手段に格納された比情報及び前記管理情報領域に記録された比情報のいずれかを選択する第２選択手段と
を更に備え、
前記読込手段は、前記第２選択手段が選択した比情報を読み込むことを特徴とする請求の範囲第１５項に記載の情報記録装置。
【請求項１７】
情報を夫々記録するための複数の記録層を有する情報記録媒体に前記情報を記録する情報記録装置における情報記録方法であって、
前記情報記録装置は、前記情報を記録する際における前記複数の記録層毎の最適記録パワーの比を示す比情報を格納する格納手段を備えており、
前記格納されている比情報を読み込む読込工程と、
前記読み込まれた比情報に応じた記録パワーにて、前記情報を前記複数の記録層のうち少なくとも一つの層へ記録する記録工程と
を備えることを特徴とする情報記録方法。
【請求項１８】
請求の範囲第１項に記載の情報記録媒体に情報を記録する情報記録方法であって、
前記管理情報領域に記録された比情報を読み込む読込工程と、
前記読み込まれた比情報に応じた記録パワーにて、前記情報を前記複数の記録層のうち少なくとも一つへ記録する記録工程と
を備えることを特徴とする情報記録装方法。
【請求項１９】
請求の範囲第７項に記載の情報記録装置と、
前記情報記録媒体から前記記録された情報を再生する再生手段と
を備えることを特徴とする情報記録再生装置。
【請求項２０】
請求の範囲第１７項に記載の情報記録方法と、
前記情報記録媒体から前記記録された情報を再生する再生工程と
を備えることを特徴とする情報記録再生方法。
【請求項２１】
請求の範囲第７項に記載の情報記録装置に備えられたコンピュータを制御する記録制御用のコンピュータプログラムであって、該コンピュータを、前記記録手段として機能させることを特徴とするコンピュータプログラム。
【請求項２２】
請求の範囲第１５項に記載の情報記録装置に備えられたコンピュータプログラムを制御する記録制御用のコンピュータプログラムであって、該コンピュータを、前記読込手段及び前記記録手段のうち少なくとも一方として機能させることを特徴とするコンピュータプログラム。
【請求項２３】
請求の範囲第１９項に記載の情報記録再生装置に備えられたコンピュータプログラムを制御する記録再生制御用のコンピュータプログラムであって、該コンピュータを、前記情報記録装置及び前記再生手段のうち少なくとも一部として機能させることを特徴とするコンピュータプログラム。
【発明の詳細な説明】
【技術分野】
【０００１】
本発明は、例えばＤＶＤレコーダ等の情報記録装置及び方法、情報記録再生装置及び方法並びにコンピュータをこのような情報記録装置や情報記録再生装置として機能させるコンピュータプログラムの技術分野に関する。
【背景技術】
【０００２】
例えば、光ディスク等の情報記録媒体を記録する情報記録再生装置においては、光ディスクの種類、情報記録再生装置の種類及び記録速度等に応じて、ＯＰＣ（Optimum Power Calibration）処理により、記録パワーにおける最適パワーが設定される。即ち、記録パワーのキャリブレーション（較正）が行われる。これにより、光ディスクにおける適切な記録動作を実現できる。例えば、光ディスクが装填されて書き込みのコマンドが入力されると、順次段階的に光強度が切り換えられて試し書き用のデータがＯＰＣエリアに記録され、いわゆる試し書きの処理が実行される。その後、このようにして記録された試し書き用のデータが再生され、この再生結果が所定の評価基準により判定されて、最適パワーが設定される。また、実際の記録動作と同時に行うＯＰＣ（所謂、ランニングＯＰＣ）によっても、最適パワーを設定することができる。【０００３】
【特許文献１】特開平９−１６９６４号公報
【発明の開示】
【発明が解決しようとする課題】
【０００４】
一方、光ディスク等において、２つ或いはそれ以上の複数の記録層を一枚の光ディスクに備える多層型の光ディスクが導入されている。係る複数の記録層を有する光ディスクにおいては、上述したＯＰＣを夫々の記録層において行なわなければ、夫々の記録層毎の最適パワーを設定することができないという技術的な問題点を有している。係る問題点は、記録動作時において、ＯＰＣ処理に要する負担が増加することから、記録層の切替時におけるスムーズな記録動作を行なうことができないという技術的な問題点にもつながる。
【課題を解決するための手段】
【０００５】
本発明は、例えば上述した従来の問題点に鑑みなされたものであり、例えば複数の記録層を有する情報記録媒体であっても、比較的容易に適切な記録パワーで情報の記録を行なうことを可能とならしめる情報記録媒体、情報記録装置及び方法、情報記録再生装置及び方法、並びにコンピュータをこのような情報記録装置として機能させるコンピュータプログラムを提供することを課題とする。【０００６】
（情報記録媒体）
本発明の情報記録媒体は、上記課題を解決するために、レーザ光を照射して情報を記録するための複数の記録層を備えた情報記録媒体であって、前記複数の記録層の少なくとも一つは、前記情報を記録する際における前記複数の記録層毎の最適記録パワーの比を示す比情報が記録される管理情報領域を有する。【０００７】
本発明の情報記録媒体によれば、複数の記録層の夫々において例えば映像情報や音楽情報等のコンテンツ或いはコンピュータ用のデータ情報等を含んでなる各種情報を記録することが可能である。係る複数の記録層は、例えば基板の一方の面上に積層構造に形成されている。【０００８】
本発明では特に、管理情報領域を備えており、当該管理情報領域には比情報が記録される。比情報には、複数の記録層のうち例えば一の記録層と他の記録層とにおける２つの最適記録パワーの比が含まれている。尚、本発明における「最適記録パワー」とは、文字通り最も適した記録パワーを示すことに限らず、記録時においてより適切に情報を記録することができる程度の記録パワーをも含んだ広い趣旨である。より好ましくは、管理情報領域に記録されている比情報により導かれる最適記録パワーは、例えば後に詳述するようにアシンメトリの影響が記録動作に影響を与えない程度であったり、或いはエラーレートが０或いは概ね記録動作に影響を与えない程度に低い状態を実現できる程度の記録パワーであることが好ましい。そして、このような比が、複数の記録層毎の最適記録パワーの比として、即ち、複数の記録層毎の最適記録パワーを示すように含まれている。言い換えれば、複数の記録層の夫々における最適記録パワーが、いずれかの記録層における最適記録パワーの値（或いは、所定値）を基準値とする比によって示されている。【０００９】
そして、例えば後述の情報記録装置の記録動作時においては、当該管理情報領域に記録された比情報を参照することで、比較的容易に複数の記録層の夫々の最適記録パワーを算出することができる。例えば、一の記録層における最適記録パワーを基準とする夫々の記録層における最適記録パワーの比が記録されていれば、当該一の記録層における最適記録パワーを算出すれば、その比を例えば掛け合わせることで、複数の記録層の夫々における最適記録パワーを比較的容易に算出することができる。【００１０】
仮に、係る管理情報領域を備えない情報記録媒体であれば、例えば情報の記録前の時点において、複数の記録層の夫々において、例えばＯＰＣ等に代表される記録パワーの較正を行なう必要がある。しかるに、本発明によれば、係る較正を行なう必要はなく、比情報を参照すれば、比較的容易に且つ効率的に複数の記録層の夫々における最適記録パワーを算出できるという利点を有する。加えて、記録の対象となる記録層を切り替える際には、当該比情報を参照すれば、例えば情報記録装置の記録パワーを、その記録層における最適記録パワーに比較的容易に切り替えることができる。従って、最適記録パワーでの情報の記録を実現できるため、記録特性を向上させることが可能となる。【００１１】
以上の結果、本発明の情報記録媒体によれば、管理情報領域に記録されている比情報を参照することで、比較的容易に複数の記録層の夫々における最適記録パワーを算出することができる。また、予め情報記録媒体の管理情報領域に、最適記録パワーを示す情報（即ち、比情報）を記録しておくことで、複数の記録層を有する情報記録媒体であっても、夫々の記録層に対応する最適記録パワーを算出することができる。従って、例えば後述の情報記録装置における記録動作時において、記録パワーの算出に要する処理負担を軽減することができ、記録動作の効率化を図ることができる。【００１２】
尚、管理情報領域は、後述の如く複数の記録層に一つずつ対応して複数設けられるように構成してもよいし、或いは情報記録媒体全体で一つが設けられるように構成してもよいし、或いは複数の記録層のうちいくつかの記録層毎に一つずつ設けられるように構成してもよい。【００１３】
本発明の情報記録媒体の一の態様は、前記管理情報領域は、複数の記録層毎に設けられている。【００１４】
この態様によれば、夫々の記録層において比情報を読み込めば、上述した本発明に係る各種利益を享受することができる。従って、記録動作の対象となる記録層が例えば一の層から他の層へ切り替わった場合、当該他の層に設けられている管理情報領域を読み込めば、最適記録パワーを算出することが可能となる。即ち、改めて管理情報領域が設けられている記録層へ移動することなく、比較的容易に且つ迅速に最適記録パワー算出することが可能となる。【００１５】
尚、この場合の夫々の記録層毎に設けられている複数の管理情報領域には、各管理情報領域が設けられている記録層における最適記録パワーを示す比が記録されているように構成してもよいし、或いは、夫々の記録層における最適記録パワーを示す複数の比が記録されるように構成してもよい。【００１６】
本発明の情報記録媒体の他の態様は、前記管理情報領域には、前記比情報として、前記複数の記録層のうち一の記録層における前記最適記録パワーを基準値として、前記複数の記録層毎の前記最適記録パワーの比を示す情報が記録されている。【００１７】
この態様によれば、一の記録層における最適記録パワーを基準として、例えば他の記録層における最適記録パワーを比情報として示すことが可能となる。従って、各記録層毎に一つの比情報を有していれば、一の記録層における最適記録パワーと該一つの比情報を参照して、その記録層における最適記録パワーを算出できる。従って、比情報としての記録容量を低減することができ、記録層におけるコンテンツ等の情報を記録するための記録容量を相対的に増加させることが可能となる。加えて、基準値を一つとすることで（即ち、一の記録層における最適記録パワーを基準値とすることで）、比情報が示す比をわかりやすく構成することが可能となる。【００１８】
本発明の情報記録媒体の他の態様は、前記管理情報領域には、前記比情報に加えて又は代えて、前記情報を記録する際における前記複数の記録層毎の前記最適記録パワーの差分を示す差分情報が記録されている。【００１９】
この態様によれば、例えば一の記録層の最適記録パワーと他の記録層の最適記録パワーとの差である差分情報を参照することによっても、複数の記録層における最適記録パワーを、例えばＯＰＣ等を行なうことなく、比較的容易に算出することが可能となる。【００２０】
本発明の情報記録媒体の他の態様は、前記管理情報領域には、前記比情報に代えて又は加えて、前記情報を記録する際における前記複数の記録層毎の前記最適記録パワーの絶対値を示すパワー情報が予め記録されている。【００２１】
この態様によれば、例えば夫々の記録層の最適記録パワーの値であるパワー情報を参照することによって、複数の記録層における最適記録パワーを、例えばＯＰＣ等を行なうことなく、比較的容易に算出（或いは、取得）することが可能となる。特に、最適記録パワー自体が記録されているため、特段の演算等を施すことなく、容易に最適記録パワーを算出（或いは、取得）することが可能となる。【００２２】
本発明の情報記録媒体の他の態様は、前記管理情報領域には、前記複数の記録層の夫々に係る状態に応じた前記比情報が記録されている。【００２３】
この態様によれば、記録層の状態（例えば、記録層の所定の領域が記録済であるか未記録状態であるか、該領域の温度変化による記録特性の変化等）に応じた最適記録パワーの比を示す比情報が記録されている。従って、係る状態に応じて、例えば後述の情報記録装置をして適切に情報を記録させることが可能となる。【００２４】
尚、差分情報やパワー情報が記録されている情報記録媒体の態様であっても、比情報と同様に、状態に応じた差分情報やパワー情報が記録されていることが好ましい。【００２５】
本発明の情報記録媒体の他の態様は、前記管理情報領域には、前記複数の記録層の夫々に係る記録位置に応じた前記比情報が記録されている。【００２６】
この態様によれば、記録位置（例えば、当該情報記録媒体が円盤状の形状を有している場合には、外周側であるか或いは内周側であるか等の相違）に応じた最適記録パワーの比を示す比情報が記録されている。従って、係る記録位置に応じて、例えば後述の情報記録装置をして適切に情報を記録させることが可能となる。【００２７】
尚、差分情報やパワー情報が記録されている情報記録媒体の態様であっても、比情報と同様に、記録位置に応じた差分情報やパワー情報が記録されていることが好ましい。【００２８】
（情報記録装置）
本発明の第１の情報記録装置は、上記課題を解決するために、情報を記録するための複数の記録層を有する情報記録媒体に前記情報を記録する情報記録装置であって、前記情報を記録する際における前記複数の記録層毎の最適記録パワーの比を示す比情報を格納する格納手段と、前記格納手段に格納される比情報に応じた記録パワーにて、前記複数の記録層のうち少なくとも一つへ前記情報を記録する記録手段とを備える。【００２９】
本発明の第１の情報記録装置によれば、上述した本発明の情報記録媒体と同様に、比較的容易に、複数の記録層を有する情報記録媒体について夫々の記録層の最適記録パワーを算出することが可能となる。【００３０】
具体的には、例えばＲＯＭやＲＡＭ等の半導体メモリや、メモリスティックやＩＣカード等のリムーバル型の記録媒体等を含んでなる格納手段には、夫々の記録層毎の最適記録パワーの比を示す比情報が格納される。そして、例えば光ピックアップ等を含んでなる記録手段は、格納手段に格納される比情報を参照することで、より適切な記録パワー（即ち、最適記録パワー）にて情報を記録する。具体的には、複数の記録層のうち記録の対象となる記録層に対応する最適記録パワーにて情報を記録する。【００３１】
より具体的には、例えば一の記録層においてＯＰＣ等に代表される記録パワーの構成動作を行えば、他の記録層へ記録をする際には、比情報を参照することで、較正動作により算出した一の記録層における最適記録パワーより、複数の記録層の夫々における最適記録パワーを算出することが可能となる。即ち、例えば改めてＯＰＣ等に代表される記録パワーの較正動作を行なわなくとも、夫々の記録層において最適な記録パワーにて夫々の記録層に情報を記録することが可能となる。加えて、記録特性を向上させることができ、情報を再生する際のエラーレート等も低下させることができるという利点も有する。【００３２】
以上の結果、本発明の第１の情報記録装置によれば、管理情報領域に記録されている比情報を参照することで、比較的容易に複数の記録層の夫々における最適記録パワーを算出することができる。従って、記録動作時において、記録パワーの算出に要する処理負担を軽減することができ、記録動作の効率化を図ることができる。【００３３】
尚、格納手段に格納される比情報は、例えば第１の情報記録装置の製造メーカ等がその製造時に予め格納しておくものであってもよいし、例えばＣＤ−ＲＯＭ等の記録媒体（或いは、リムーバル型の記録媒体）等、或いは有線や無線等のネットワークを介して頒布されるように構成してもよい。特に、比情報を後に頒布するように構成すれば、例えば記録動作の対象となる情報記録媒体の変更等に柔軟に対応できるという利点を有する。【００３４】
本発明の第１の情報記録装置の一の態様は、前記格納手段には、前記情報記録媒体の種類に対応した前記比情報が格納され、前記情報記録媒体の前記種類を識別して、前記格納手段に格納される前記比情報のうちから対応する比情報を選択する第１選択手段を更に備え、前記記録手段は、前記第１選択手段により選択された比情報に応じた記録パワーにて、前記情報を記録する。【００３５】
一般に、例えば光ディスク等の情報記録媒体は、その種類（例えば、製造メーカの違いや製造条件の違い等）によって最適記録パワーが異なる。従って、この態様によれば、情報記録媒体の種類に応じて夫々異なる最適記録パワーを、識別情報に基づいて適切に算出することが可能となる。【００３６】
本発明の第１の情報記録装置の他の態様は、前記格納手段には、前記比情報として、前記複数の記録層のうち一の記録層の前記最適記録パワーを基準値として、前記複数の記録層毎の前記最適記録パワーの比を示す情報が記録されている。【００３７】
この態様によれば、一の記録層における最適記録パワーを基準として、複数の記録層の夫々における最適記録パワーを比情報として示すことが可能となる。従って、各記録層毎に一つの比を有していれば、一の記録層における最適記録パワーと該一つの比を参照して、その記録層における最適記録パワーを算出することができる。従って、比情報としての記録容量を低減することができ、相対的に小さな記録容量を有する格納手段を用いることが可能となる。加えて、基準値を一つとすることで（即ち、一の記録層における最適記録パワーを基準値とすることで）、比情報が示す比をわかりやすく構成することが可能となる。【００３８】
本発明の第１の情報記録装置の他の態様は、前記複数の記録層の少なくとも一つには、前記比情報が記録される管理情報領域を有しており、前記管理情報領域から前記比情報を読み込む読込手段を更に備えており、前記格納手段は、前記読み込まれた比情報を格納する。【００３９】
この態様によれば、読込手段の動作により、情報記録媒体に記録されている比情報を、格納手段に格納することができる。そして、該格納された比情報を用いて、上述の如く複数の記録層における夫々の最適記録パワーを比較的容易に算出することができる。特に、相対的に読込速度の遅い例えばＣＤ−ＲＯＭやＤＶＤ−ＲＯＭ等の情報記録媒体から比情報を逐次読み出す必要が無くなり、相対的に読込速度の速い例えばＲＡＭ等の格納手段から比情報を読み込んで利用することができる。従って、記録手段がその記録パワーを算出する際における処理をより高速に行なうことができる。これは、記録速度の高速化につながるという大きな利点を有する。【００４０】
上述の如く読込手段を備える情報記録装置の態様では、前記格納手段に前記比情報が格納されているか否かを判定する判定手段を更に備えており、前記格納手段には、前記比が格納されていないと判定された場合、前記管理情報領域から読み込まれた前記比情報が格納されるように構成してもよい。【００４１】
このように構成すれば、格納手段に比情報が格納されていれば、該格納されている比情報を用いて記録手段の記録パワーを決定する。他方、格納手段に比情報が格納されていなければ、読込手段により情報記録媒体から読み込まれた比情報を格納手段に格納し、該格納した比情報を用いて記録手段の記録パワーを決定する。従って、相対的に読込速度の遅い情報記録媒体からは、必要な場合に比情報を読み取り、それ以外の場合は相対的に読込速度の速い格納手段から比情報を読み込むことで、結果として記録速度を向上させることが可能となる。【００４２】
本発明の第１の情報記録装置の他の態様は、前記格納手段に前記比情報が格納されているか否かを判定する判定手段と、前記比が格納されていないと判定された場合、前記複数の記録層のうち少なくとも一つの記録層において記録パワーの較正を行なうことで前記比を求め、且つ該求められた比を前記比情報として格納手段に格納する較正手段とを更に備える。【００４３】
この態様によれば、格納手段に記録の対象となる記録層の最適記録パワーを算出するための比情報が存在しなくとも、最適記録パワーを算出することが可能となる。より具体的には、例えば判定手段により比情報が格納されていないと判定されれば、較正手段により、記録の対象となる情報記録媒体に対して、例えばＯＰＣの如き較正を施して、上述した比を算出する。例えば、情報の記録前に、予め複数の記録層の夫々に較正を行なうことで、夫々の記録層毎の比を求めてもよい。そして、記録手段は、算出された比（即ち、比情報）を用いて、上述の如く最適記録パワーを算出することができる。また、後述の如く較正手段により求められた比を記録する用に
加えて、実際の記録対象となる情報記録媒体に対して較正を行なうことで上記比を求めるため、より実際の情報記録媒体の条件に即した最適記録パワーを算出し、適切な記録動作を行なうことが可能となる。【００４４】
上述の如く較正手段を備える情報記録装置の態様では、前記較正手段は、前記比情報を前記情報記録媒体及び前記格納手段のうち少なくとも一方に記録するように構成してもよい。【００４５】
このように構成すれば、較正手段が求めた比情報を、その後の記録動作時において最適記録パワーの算出に用いることが可能となる。従って、例えば同一の記録層において重複した較正を行なう不都合をさけ、より効率的な記録動作が可能となる。【００４６】
尚、係る比情報を記録する際には、較正を行なった情報記録媒体の種類に対応するように、識別情報に対応して記録することが好ましい。【００４７】
本発明の第１の情報記録装置の他の態様は、前記格納手段には、前記比に代えて又は加えて、前記情報を記録する際における前記複数の記録層毎の最適記録パワーの差分を示す差分情報及び前記情報を記録する際における前記複数の記録層毎の最適記録パワーの絶対値を示すパワー情報のうち少なくとも一方が格納されている。【００４８】
この態様によれば、例えば一の層の最適記録パワーと他の層の最適記録パワーとの差である差分情報を参照することによっても、複数の記録層における最適記録パワーを、例えばＯＰＣ等を行なうことなく、比較的容易に算出することが可能となる。また、例えば夫々の記録層の最適記録パワーの値であるパワー情報を参照することによっても、複数の記録層における最適記録パワーを、例えばＯＰＣ等を行なうことなく、比較的容易に算出することが可能となる。特に、最適記録パワー自体が記録されているため、特段の演算等を施すことなく、容易に最適記録パワーを算出（或いは、取得）することが可能となる。【００４９】
本発明の第２の情報記録装置は、上記課題を解決するために、上述した本発明の情報記録媒体（但し、その各種態様を含む）に情報を記録する情報記録装置であって、前記管理情報領域に記録された比情報を読み込む読込手段と、前記読み込まれた比情報に応じた記録パワーにて、前記情報を前記複数の記録層のうち少なくとも一つへ記録する記録手段とを備える。【００５０】
本発明の第２の情報記録装置によれば、上述した第１の情報記録装置に係る情報記録装置と同様に、比情報を参照して、記録手段を適切な記録パワーにて（例えば、最適記録パワーにて）動作させることが可能となる。従って、上述した本発明に係る情報記録装置が有する各種利益を享受することが可能となる。【００５１】
第２の情報記録装置では特に、第１の情報記録装置の如く格納手段を備えていなくとも、情報記録媒体に記録されている比情報等を参照することで、第１の情報記録装置が有する各種利益を享受することが可能である。【００５２】
尚、上述した本発明の情報記録媒体の各種態様に対応して、本発明の第２の情報記録装置も各種態様を採るように構成してもよい。【００５３】
本発明の第２の情報記録装置の一の態様は、前記情報を記録する際における前記複数の記録層毎の最適記録パワーの比を示す比情報を格納する格納手段と、前記格納手段に格納された比情報及び前記管理情報領域に記録された比情報のいずれかを選択する第２選択手段とを更に備え、前記読込手段は、前記第２選択手段が選択した比情報を読み込む。【００５４】
この態様によれば、上述の本発明の第１の情報記録装置において説明した格納手段に記録された比情報をも利用して、記録手段の記録パワーを調整することが可能となる。【００５５】
尚、上述した本発明の第１の情報記録装置の各種態様に対応して、この態様においても各種態様を採るように構成してもよい。【００５６】
（情報記録方法）
本発明の第１の情報記録方法は、上記課題を解決するために、情報を夫々記録するための複数の記録層を有する情報記録媒体に前記情報を記録する情報記録装置における情報記録方法であって、前記情報記録装置は、前記情報を記録する際における前記複数の記録層毎の最適記録パワーの比を示す比情報を格納する格納手段を備えており、前記格納されている比情報を読み込む読込工程と、前記読み込まれた比情報に応じた記録パワーにて、前記情報を前記複数の記録層のうち少なくとも一つの層へ記録する記録工程とを備える。【００５７】
本発明の第１の情報記録方法によれば、上述した本発明の第１の情報記録装置と同様に、読込工程において格納手段に格納された比情報を読み込む。そして、読込工程において読み込んだ比情報に応じた記録パワーにて、記録工程において情報を記録することができる。従って、上述した本発明の第１の情報記録装置が有する各種利益を享受することができる。【００５８】
尚、上述した本発明の第１の情報記録装置における各種態様に対応して、本発明に係る第１の情報記録方法も各種態様を採ることが可能である。【００５９】
本発明の第２の情報記録方法は、上記課題を解決するために、上述した本発明の情報記録媒体（但し、その各種態様を含む）に情報を記録する情報記録方法であって、前記管理情報領域に記録された比情報を読み込む読込工程と、前記読み込まれた比情報に応じた記録パワーにて、前記情報を前記複数の記録層のうち少なくとも一つへ記録する記録工程とを備える。【００６０】
本発明の第２の情報記録方法によれば、上述した本発明の第２の情報記録装置と同様に、読込工程において情報記録媒体の管理情報領域に記録された比情報を読み込む。そして、読込工程において読み込んだ比情報に応じた記録パワーにて、記録工程において情報を記録することができる。従って、上述した本発明の第２の情報記録装置が有する各種利益を享受することができる。【００６１】
尚、上述した本発明の第２の情報記録装置における各種態様に対応して、本発明の第２の情報記録方法も各種態様を採ることが可能である。【００６２】
（情報記録再生装置）
本発明の情報記録再生装置は、上記課題を解決するために、上述した本発明の第１又は第２の情報記録装置（但し、その各種態様を含む）と、前記情報記録媒体から前記記録された情報を再生する再生手段とを備える。【００６３】
本発明の情報記録再生装置によれば、上述した本発明の第１又は第２の情報記録装置が有する各種利益を享受することができると共に、例えば光ピックアップやＲＦ検出器、プッシュプル検出器等を備えてなる再生手段を用いて情報を再生することが可能となる。【００６４】
尚、上述した本発明の第１又は第２の情報記録装置における各種態様に対応して、本発明に係る情報記録再生装置も各種態様を採ることが可能である。【００６５】
本発明の情報記録再生方法は、上記課題を解決するために、上述した本発明の第１又は第２の情報記録方法（具体的には、その各工程）と、前記情報記録媒体から前記記録された情報を再生する再生工程とを備える。【００６６】
本発明の情報記録再生方法によれば、上述した本発明の第１又は第２の情報記録方法が有する各種利益を享受することができるとともに、例えば光ピックアップやＲＦ検出器、プッシュプル検出器等の動作による再生工程において、情報を再生することが可能となる。【００６７】
尚、上述した本発明の第１又は第２の情報記録方法における各種態様に対応して、本発明に係る情報記録再生方法も各種態様を採ることが可能である。【００６８】
（コンピュータプログラム）
本発明に係る第１のコンピュータプログラムは、上記課題を解決するために、コンピュータを上述した第１の情報記録装置（但し、その各種形態も含む）として機能させる。より具体的には、コンピュータを上述した第１の情報記録装置における記録手段の少なくとも一部として機能させる。【００６９】
本発明に係る第１のコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の第１の情報記録装置を比較的簡単に実現できる。【００７０】
尚、上述した本発明の第１の情報記録装置における各種態様に対応して、本発明の第１のコンピュータプログラムも各種態様を採ることが可能である。【００７１】
本発明に係る第２のコンピュータプログラムは、上記課題を解決するために、コンピュータを上述した第２の情報記録装置（但し、その各種形態も含む）として機能させる。より具体的には、コンピュータを上述した第２の情報記録装置における読込手段及び記録手段の少なくとも一部として機能させる。【００７２】
本発明に係る第２のコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の第２の情報記録装置を比較的簡単に実現できる。【００７３】
尚、上述した本発明の第２の情報記録装置における各種態様に対応して、本発明の第２のコンピュータプログラムも各種態様を採ることが可能である。【００７４】
本発明に係る第３のコンピュータプログラムは、上記課題を解決するために、コンピュータを上述した情報記録再生装置（但し、その各種形態も含む）に備えられたコンピュータプログラムを制御する記録再生制御用のコンピュータプログラムであって、該コンピュータを、前記情報記録装置及び前記再生手段のうち少なくとも一部として機能させる。【００７５】
本発明に係る第３のコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録再生装置を比較的簡単に実現できる。【００７６】
尚、上述した本発明の情報記録再生装置における各種態様に対応して、本発明の第３のコンピュータプログラムも各種態様を採ることが可能である。【００７７】
コンピュータ読取可能な媒体内の記録制御用の第１のコンピュータプログラム製品は、上記課題を解決するために、上述した本発明の第１の情報記録装置（但し、その各種態様も含む）に備えられたコンピュータにより実行可能なプログラム命令を明白に具現化し、該コンピュータを、記録手段の少なくとも一部として機能させる。【００７８】
コンピュータ読取可能な媒体内の記録制御用の第２のコンピュータプログラム製品は、上記課題を解決するために、上述した本発明の第２の情報記録装置（但し、その各種態様も含む）に備えられたコンピュータにより実行可能なプログラム命令を明白に具現化し、該コンピュータを、読込手段及び記録手段の少なくとも一部として機能させる。【００７９】
コンピュータ読取可能な媒体内の記録再生制御用の第３のコンピュータプログラム製品は上記課題を解決するために、上述した本発明の情報記録再生装置（但し、その各種態様も含む）に備えられたコンピュータにより実行可能なプログラム命令を明白に具現化し、該コンピュータを、前記情報記録装置及び前記再生手段の少なくとも一部として機能させる。【００８０】
本発明の記録制御用、又は記録再生制御用のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の前記記録手段、前記読込手段及び前記再生手段の少なくとも一部を比較的容易に実施可能となる。更に具体的には、当該コンピュータプログラム製品は、コンピュータを前記記録手段、前記読込手段及び前記再生手段の少なくとも一部として機能させるコンピュータ読取可能なコード（或いはコンピュータ読取可能な命令）から構成されてよい。【００８１】
本発明のこのような作用及び他の利得は次に説明する発明を実施するための最良の形態から明らかにされる。【００８２】
以上説明したように、本発明の情報記録媒体は、複数の記録層と管理情報領域を備える。従って、管理情報領域に記録されている比情報を参照することで、比較的容易に複数の記録層の夫々における最適記録パワーを算出することができる。また、予め情報記録媒体の管理情報領域に、最適記録パワーを示す情報（即ち、比情報）を記録しておくことで、複数の記録層を有する情報記録媒体であっても、夫々の記録層に対応する最適記録パワーを算出することができる。【００８３】
また、本発明の第１の情報記録装置及び方法は、格納手段、読込手段及び記録手段、又は読込工程及び記録工程を備える。また、本発明の第２の情報記録装置及び方法は、読込手段及び記録手段、又は読込工程及び記録工程を備える。従って、比情報を参照することで、比較的容易に複数の記録層の夫々における最適記録パワーを算出することができる。また、複数の記録層を有する情報記録媒体であっても、夫々の記録層に対応する最適記録パワーを算出することができる。
【図面の簡単な説明】
【００８４】
【図１】本発明の情報記録媒体に係る実施例たる光ディスクの基本構造を示し、上側部分は複数のエリアを有する光ディスクの概略平面図であり、これに対応付けられる下側部分は、その径方向におけるエリア構造の図式的概念図である。
【図２】本実施例に係る情報記録媒体のデータ構造の一の例を概念的に示すデータ構造図である。
【図３】本実施例に係る情報記録媒体のデータ構造の他の例を概念的に示すデータ構造図である。
【図４】本実施例に係る情報記録媒体のデータ構造の他の例を概念的に示すデータ構造図である。
【図５】本発明の情報記録装置に係る第１実施例の基本構成を概念的に示すブロック図である。
【図６】第１実施例に係る情報記録装置の記録動作全体の流れを示すフローチャートである。
【図７】本発明の情報記録装置に係る第２実施例の基本構成を概念的に示すブロック図である。
【図８】第２実施例に係る情報記録装置が記録している比情報等を示すデータ構造図である。
【図９】第２実施例に係る情報記録装置の記録動作全体の流れを示すフローチャートである。
【図１０】第２実施例に係る情報記録装置において用いられる光ディスク上に記録されているディスク識別情報を概念的に示すデータ構造図である。
【符号の説明】
【００８５】
１  情報記録装置
１００  光ディスク
１０４、１１４、１２４  リードインエリア
１０８、１１８、１２８  リードアウトエリア
１１０、１２０  ＯＰＣエリア
１１１、１２１  最適パワー記録エリア
１１２、１２２  比情報記録エリア
１１３、１２３  差分情報記録エリア
１１５  ディスク識別情報
３１０  光ピックアップ
３１５  サーボユニット
３３０  エンベロープ検波器
３４０  ＯＰＣパターン発生器
４００  ＣＰＵ
４０１  メモリ
【発明を実施するための最良の形態】
【００８６】
以下、本発明の実施例を図面に基づいて説明する。【００８７】
（情報記録媒体の実施例）
先ず、図１から図４を参照して、本発明の情報記録媒体に係る実施例について説明を進める。【００８８】
先ず、図１を参照して、本発明の情報記録媒体に係る実施例としての光ディスクについて説明する。ここに、図１（ａ）は、上側に複数のエリアを有する光ディスクの構造を概略平面図で示すと共に、下側にその径方向におけるエリア構造を概念図で対応付けて示すものであり、図１（ｂ）は、光ディスクの断面を模式的に示す断面図である。【００８９】
図１（ａ）に示すように、光ディスク１００は、例えば、記録（書き込み）が複数回又は１回のみ可能な、光磁気方式、相変化方式等の各種記録方式で記録可能とされており、ＤＶＤと同じく直径１２ｃｍ程度のディスク本体上の記録面に、センターホール１０２を中心として内周から外周に向けて、リードインエリア１０４、本発明の「記録層」の一具体例たるデータ記録エリア１０６及びリードアウトエリア１０８が設けられている。そして、各エリアには、例えば、センターホール１０２を中心にスパイラル状或いは同心円状に、グルーブトラック及びランドトラックが交互に設けられており、このグルーブトラックはウォブリングされてもよいし、これらのうち一方又は両方のトラックにプレピットが形成されていてもよい。【００９０】
そして、本実施例では、後述するように、複数のデータ記録エリア１０６等が例えば積層構造に形成される多層型の光ディスクが用いられる（図２等参照）。尚、本発明は、このような三つのエリアを有する光ディスクには特に限定されない。例えば、リードインエリア１０４やリードアウトエリア１０８が存在せずとも、以下に説明するファイル構造は構築可能である。また、後述するように、リードインエリア１０４やリードアウト１０８は更に細分化された構成であってもよい（図２等参照）。【００９１】
また、図１（ｂ）に示すように、光ディスク１００は、保護膜と該保護膜の上に積層された複数の記録層を含んでなる。そして、後述する情報記録装置からの光ビームは、記録層の側より照射され、その焦点距離等を制御することで夫々の記録層にデータを記録し、また情報再生装置として機能する場合には記録されたデータを再生する。そして、これらの複数の記録層の夫々は、図１（ａ）下部に示すように、リードインエリア１０４、データ記録エリア１０６及びリードインエリア１０８を有するように構成されている。【００９２】
続いて、図２から図４を参照して、本実施例に係る情報記録媒体に係る実施例についてのデータ構造をより詳細に説明する。ここに、図２から図４は、本実施例に係る情報記録媒体のデータ構造の例を概念的に示すデータ構造図である。【００９３】
図２（ａ）に示すように、光ディスク１００ａは、２層の記録層（即ち、Ｌ０層とＬ１層）を有している。Ｌ０層には、リードインエリア１１４、データ記録エリア１１６及びリードアウトエリア１１８が設けられている。そして、リードインエリア１１４には、更にＯＰＣエリア１１０、最適パワー記録エリア１１１及び比情報記録エリア１１２が設けられている。また、Ｌ１層には、リードインエリア１２４、データ記録エリア１２６及びリードアウトエリア１２８が設けられている。そして、リードインエリア１２４には、更にＯＰＣエリア１２０、最適パワー記録エリア１２１及び比情報記録エリア１２２が設けられている。【００９４】
ＯＰＣエリア１１０（１２０）は、最適な記録レーザパワーの検出（即ち、記録レーザパワーのキャリブレーション）処理に用いられる領域である。特に、ＯＰＣエリア１１０は、Ｌ０層の最適な記録レーザパワーの検出のために用いられ、またＯＰＣエリア１２０は、Ｌ１層の最適な記録レーザパワーの検出のために用いられることが好ましい。例えば、ＯＰＣパターンの試し書きの完了後には、試し書きされたＯＰＣパターンが再生され、再生されたＯＰＣパターンのサンプリングが順次行われて、最適な記録レーザパワーが検出される。また、ＯＰＣにより求めた最適な記録レーザパワーの値が記録されていてもよい。尚、ＯＰＣ動作については、後に詳述する。【００９５】
最適パワー記録エリア１１１（１２１）は、本発明における「パワー情報」の一具体例たるＬ０層或いはＬ１層の最適な記録レーザパワーの値が記録されている領域である。係る最適な記録レーザパワーの値は、例えば当該光ディスク１００ａの製造時に予め算出された値が予め記録されていてもよいし、或いは後述の如く実際にＯＰＣ動作を行なった際に算出された値が記録されてもよい。【００９６】
光ディスク１００ａでは特に、最適パワー記録エリア１１１には、Ｌ０層の最適記録レーザパワーの値を示す最適パワー（Ｐ）＃０が記録されており、最適パワー記録エリア１２１には、Ｌ１層の最適記録レーザパワーの値を示す最低パワー（Ｐ）＃１が記録されている。【００９７】
比情報記録エリア１１２（１２２）は、Ｌ０層及びＬ１層の夫々の最適記録レーザパワーの値に係る比を示す比情報が記録されている。例えば、Ｌ０層の最適記録レーザパワーの値を基準とした比情報が夫々記録されていてもよいし、Ｌ１層の最適記録レーザパワーの値を基準とした比情報が夫々記録されていてもよい。【００９８】
例えば、光ディスク１００ａでは、比情報記録エリア１１２には、最適Ｐ＃０を基準として、Ｌ０層における最適記録レーザパワーの比を示す比情報＃０が記録されており、また、比情報記録エリア１２２には、最適Ｐ＃０を基準として、Ｌ１層における最適記録レーザパワーの比を示す比情報＃１が記録されている。例えば、最適Ｐ＃０が７ｍｗであり、最適Ｐ＃１が７．７ｍｗであれば、比情報記録エリア１１２には、比情報＃０として“１”が記録され、比情報記録エリア１２２には、比情報＃１として“１．１”が記録されている。【００９９】
そして、後述の本実施例に係る情報記録装置１は、最適パワー記録エリア１１１（１２１）に記録された最適Ｐ＃ｎ（ｎ＝０、１）、並びに比情報記録エリア１１２（１２２）に記録された比情報＃ｍ（ｍ＝０、１）を参照して、Ｌ０層及びＬ１層の夫々にデータを記録する際の最適記録レーザパワーを算出し、データを光ディスク１００ａに記録していく。このため、記録時において例えばＯＰＣ等により最適記録レーザパワーを算出することなく、最適記録レーザパワーによりデータの記録を行なうことが可能となる。従って、例えばＯＰＣ等により最適記録レーザパワーの算出を行なう時間的余裕がない場合であっても、適切なデータの記録が実現できると共に、情報記録装置における記録動作を簡略化することで記録速度の向上にもつながるという利点を有する。【０１００】
また、例えば光ディスク１００ａの如き多層型の光ディスクにおいては、異なる層への記録動作を開始する際には、例えば当該異なる層においてＯＰＣ等により最適記録レーザパワーを算出する必要があった。しかるに本実施例によれば、最適パワー記録エリア１１１（１２１）及び比情報記録エリア１１２（１２２）等を参照することで、異なる層への記録動作を開始する場合であっても、当該異なる層の最適記録レーザパワーを比較的容易に算出することができる。従って、例えば後述の情報記録装置をして、層切替時における記録動作を簡略化せしめることができ、その結果、より安定した記録動作が実現できるとともにその記録速度の向上にもつながるという利点を有する。【０１０１】
また、図２（ｂ）に示すように、最適パワー記録エリア１１１及び１２１の夫々に、最適Ｐ＃０及び＃１の双方が記録されている光ディスク１００ｂであってもよい。そして、比情報記録エリア１１２及び１２２の夫々に、比情報＃０及び＃１の双方が記録されていてもよい。【０１０２】
また、図２（ｃ）に示すように、Ｌ１層に最適パワー記録エリア１２１及び比情報記録エリア１２２が設けられていない光ディスク１００ｃであっても、同様の利益を享受することができる。この場合、Ｌ０層の最適パワー記録エリア１１１に最適Ｐ＃０及び＃１が記録されており、またＬ０層の比情報記録エリア１１２に比情報＃０及び＃１が記録されている。【０１０３】
尚、本発明の範囲はこれらのデータ構造に限定されることなく、少なくともＬ０層とＬ１層との最適記録レーザパワーを算出できるような比情報が記録されていれば足りる。具体的には、少なくとも最適Ｐ＃０と最適Ｐ＃１との比を示す比情報が記録されていればよい。係る比情報があれば、少なくともいずれか一方の層において例えばＯＰＣ等により最適記録パワーを算出すれば、もう一方の層においても最適記録レーザパワーを算出することが可能である。即ち、ＯＰＣ等を行なう必要はあるが、双方の層においてＯＰＣを行う態様と比較して、その回数を減少させることができるという利点を有する。【０１０４】
更に、図３（ａ）に示すように、比情報に代えて差分情報を有するような光ディスク１００ｄであっても、同様の利益を享受することができる。即ち、比情報記録エリア１１２（１２２）に代えて差分情報記録エリア１１３（１２３）を備えていてもよい。差分情報とは、Ｌ０層の最適記録レーザパワー（即ち、最適Ｐ＃０）とＬ１層の最適記録レーザパワー（即ち、最適Ｐ＃１）との差分を示している。例えば、最適Ｐ＃０の値を基準とする差分を示してもよいし、或いは最適Ｐ＃１の値を基準とする差分を示してもよい。例えば、最適Ｐ＃０の値が７ｍｗであり、最適Ｐ＃１の値が７．７ｍｗであり、且つ最適Ｐ＃０の値を基準とした場合、差分情報記録エリア１１３には“０ｍｗ”が差分情報として記録されており、差分情報記録エリア１２３には最適Ｐ＃０と最適Ｐ＃１との差分たる“＋０．７ｍｗ”が差分情報として記録される。【０１０５】
また、図３（ｂ）に示すように、Ｌ１層に最適パワー記録エリア１２１及び差分情報記録エリア１２３が設けられていない光ディスク１００ｅであっても、同様の利益を享受することができる。この場合、Ｌ０層の最適パワー記録エリア１１１に最適Ｐ＃０が記録されており、差分情報記録エリアには、最適Ｐ＃０と最適Ｐ＃１との差分を示す差分情報が記録されている。【０１０６】
尚、差分情報記録エリア１１３（１２３）を有する光ディスクであっても、データ構造は上述の例に限定されることなく、少なくともＬ０層とＬ１層との最適記録レーザパワーを算出できるような差分情報が記録されていれば足りる。具体的には、少なくとも最適Ｐ＃０と最適Ｐ＃１との差分を示す差分情報が記録されていれば、ＯＰＣ等を行なう必要はあるが、双方の層においてＯＰＣを行う態様と比較して、その回数を減少させることができるという利点を有する。【０１０７】
更に、上述の如く２層の記録層を有する光ディスクに限られることなく、３層以上の光ディスクであってもよい。例えば図４に示すように、３層の記録層を有する光ディスク１０１は、例えば、Ｌ０層の最適パワー記録エリア１１１にＬ０層における最適記録レーザパワーたる最適Ｐ＃０が記録されており、夫々の層（Ｌ０層、Ｌ１層及びＬ２層）の比情報記録エリア１１２（１２２、１３２）に、最適Ｐ＃０を基準とした夫々の層における最適記録レーザパワーの比が比情報＃０、＃１及び＃２として記録されている。従って、例えば記録の対象となる層がＬ０層からＬ１層へ切り替わった場合には、最適Ｐ＃０と比情報＃１とによりＬ１層における最適記録レーザパワーを比較的容易に算出することができる。また記録の対象となる層がＬ１層からＬ２層へ切り替わった場合には、最適Ｐ＃０と比情報＃２とによりＬ２層における最適記録レーザパワーを比較的容易に算出することができる。【０１０８】
尚、最適記録レーザパワーの値（即ち、最適Ｐ＃０及び＃１等）が記録されていれば、比情報＃０（＃１）は記録しておく必要がないとも考えられる。しかしながら、例えば光ディスク等の温度変化等に起因して、記録動作継続中にその最適記録レーザパワーが変化することも考えられる。係る場合において、比情報＃０（＃１）を有していれば、温度変化に起因した最適記録レーザパワーの変化が発生した後であっても、ある一つの記録層における最適記録レーザパワーを改めて算出すれば、比情報を用いて他の記録層における変化後の最適記録レーザパワーをも算出できる。この点において、最適記録レーザパワーの値に加えて比情報が記録されているメリットがあると言える。【０１０９】
加えて、光ディスク１００上における記録位置の変化（即ち、後述の光ピックアップ３１０が光ビームＢを照射する位置の変化）に応じた比情報等が記録されていてもよい。例えば、光ディスク１００の内周側と外周側では、その記録面上における記録特性の相違により、最適記録レーザパワーが変化することもありえる。従って、記録位置の変化に起因する最適記録レーザパワーの変化に対応して、比情報も例えば内周側の比と外周側の比との双方を有しているように構成してもよい。【０１１０】
加えて、例えば、Ｌ０層の側より後述の光ピックアップ３１０が光ビームＢを照射している場合において、Ｌ１層への光ビームＢの照射はＬ０を透過して行なうこととなる。従って、Ｌ０層が記録済であるか又は未記録であるかによって、Ｌ１層における最適記録レーザパワーが変化することもありえる。従って、例えばＬ０層の状態の変化に起因する最適記録レーザパワーの変化に対応して、比情報も例えばＬ０層が記録済の場合の比とＬ０層が未記録の場合の比との双方を有しているように構成してもよい。【０１１１】
そして、これらの比情報は、光ディスク１００上にピットとして記録されていてもよいし、ウォブル（Ｗｏｂｂｌｅ）或いはランドプリピット（ＬＰＰ）として記録されていてもよい。【０１１２】
（情報記録装置の第１実施例）
続いて、図５及び図６を参照して、本発明の情報記録装置に係る第１実施例について説明を進める。【０１１３】
（１）基本構成
先ず、図５を参照して第１実施例に係る情報記録装置の基本構成について説明する。ここに、図５は、第１実施例に係る情報記録装置の基本構成を概念的に示すブロック図である。【０１１４】
図５に示すように、第１実施例に係る情報記録装置１は、スピンドルモータ３０１、光ピックアップ３１０、ヘッドアンプ３１１、ＲＦ検出器３１２、サーボ回路３１５、ＬＤドライバ３２０、ウォブル検波器３２５、エンベロープ検波器３３０、ＯＰＣパターン生成器３４０、タイミング生成器３４５、データ収集器３５０、バッファ３６０、ＤＶＤモジュレータ３７０、データＥＣＣ生成器３８０、インタフェース３９０及びＣＰＵ４００を備えて構成されている。【０１１５】
スピンドルモータ３０１は、サーボ回路３１５等によりスピンドルサーボを受けつつ所定速度で光ディスク１００を回転させるように構成されている。【０１１６】
光ピックアップ３１０は、光ディスク１００への記録又は再生を行うもので、半導体レーザ装置、各種レンズ、アクチュエータ等から構成される。より詳細には、光ピックアップ３１０は、光ディスク１００に対してレーザ光等の光ビームを、再生時には読み取り光として第１のパワーで照射し、記録時には書き込み光として第２のパワーで且つ変調させながら照射する。光ピックアップ３１０は、サーボ回路３１５により駆動される図示しないアクチュエータ、スライダ等により光ディスク１００の半径方向等に移動できるように構成されている。【０１１７】
ヘッドアンプ３１１は、光ピックアップ３１０の出力信号（即ち、光ビームＢの反射光）を増幅し、該増幅した信号を出力する。具体的には、読取信号たるＲＦ信号がＲＦ検出器３１２及びエンベロープ検波器３３０に出力され、プッシュプル信号がウォブル検出器３２５へ出力される。【０１１８】
ＲＦ検出器３１２は、ＲＦ信号を検出し、復調等を施すことで、インタフェースを介して外部へ出力可能に構成されている。【０１１９】
サーボ回路３１５は、光ピックアップ３１０の受光結果を処理して得られるトラッキングエラー信号及びフォーカスエラー信号等に基づいて、光ピックアップ３１０の対物レンズを移動し、これによりトラッキング制御及びフォーカス制御等の各種サーボ処理を実行する。また、光ディスク１００におけるウォブリングされたグルーブトラックのウォブルから得られるウォブル信号を基準にして、スピンドルモータ３０１をサーボ制御するように構成されている。【０１２０】
ＬＤドライバ３２０は、ＯＰＣ処理時には、後述のＯＰＣパターンの記録及び再生処理により最適な記録レーザパワーの決定が行えるように、光ピックアップ３１０内に設けられた半導体レーザを駆動する。その後、ＬＤドライバ３２０は、データ記録時には、前述のＯＰＣ処理により決定された最適な記録レーザパワーで、光ピックアップ３１０の半導体レーザを駆動するように構成されている。このデータ記録時には、最適記録レーザパワーは、記録データに応じて変調される。【０１２１】
尚、上述したスピンドルモータ３０１、光ピックアップ３１０、サーボ回路３１５及びＬＤドライバ３２０等を含めて、本発明に係る「記録手段」の一具体例を構成している。【０１２２】
ウォブル検出器３２５は、光ピックアップ３１０内に設けられた反射光ビームを受光する検出器たるヘッドアンプ３１１からの受光量に応じた出力信号に基づいて、ウォブル信号を示すプッシュプル信号を検出すると共にタイミング生成器３４５へ出力するように構成されている。【０１２３】
また、ウォブル検出器３２５は、光ディスク１００上にあらかじめ形成されたＬＰＰ（ランドプリピット）による検出信号であるＬＰＰ信号を検出し、例えば後述の如くプリフォーマットアドレス情報や、或いは比情報がＬＰＰにより記録されている場合には、当該比情報を検出可能に構成されてもよい。【０１２４】
エンベロープ検波器３３０は、ＯＰＣ処理におけるＯＰＣパターンの再生時に、ＣＰＵ４００の制御下で、最適記録レーザパワーを決定するために、ヘッドアンプ３１１からの出力信号たるＲＦ信号のエンベロープ検波のピーク値及びボトム値を検出するように構成されている。係るエンベロープ検波器３３０は、例えばＡ／Ｄ（Analog/Digital）コンバータ等を含んでいるように構成されてもよい。【０１２５】
ＯＰＣパターン発生器３４０は、本発明における「較正手段」の一具体例であって、ＯＰＣ処理におけるＯＰＣパターンの記録時に、タイミング生成器３４５からのタイミング信号に基づいて、ＯＰＣパターンを示す信号を、ＬＤドライバ３２０に対して出力するように構成されている。【０１２６】
タイミング生成器３４５は、ＯＰＣ処理におけるＯＰＣパターンの記録時に、ウォブル検出器３２５からタイミング生成器３４５へ出力されたウォブル信号を示すプッシュプル信号から、ランドプリピットにより示されたプリフォーマットアドレス情報（例えば、ＡＤＩＰワード）の管理単位を基準とした絶対位置情報を検出する。それと同時に、ウォブル信号を示すプッシュプル信号の周期に基づいて、プリフォーマットアドレス情報の管理単位より小さいスロット単位（例えば、ウォブル信号の一周期の自然数倍の長さに相当するスロット単位）を基準とした相対位置情報を検出する。よって、タイミング生成器３４５は、ＯＰＣ処理における記録開始位置がプリフォーマットアドレス情報の管理単位、即ち、各ＡＤＩＰワードの境界から開始されるか否かにかかわらず、その記録開始位置を特定することが可能であり、以後、ウォブル検出器３２５から出力されたウォブル信号を示すプッシュプル信号の周期に基づいて、ＯＰＣパターンを書き込むタイミング信号を生成して出力する。他方、タイミング生成器３４５は、ＯＰＣ処理におけるＯＰＣパターンの再生時に、記録時と同様にして、その再生開始位置を特定することが可能であり、以後、ウォブル検出器３２５から出力されたウォブル信号を示すプッシュプル信号の周期に基づいて、再生されたＯＰＣパターンをサンプリングするタイミング信号を生成して出力する。【０１２７】
データ収集器３５０は、主としてメモリ一般である。例えば、外付ＲＡＭ等から構成されている。エンベロープ検波器３３０で検波されたエンベロープがデータ収集器３５０に格納され、これに基づいて、ＣＰＵ４００における最適な記録レーザパワーの検出、即ち、ＯＰＣ処理が実行される。【０１２８】
バッファ３６０は、ＤＶＤモジュレータ３７０より変調された記録データを格納し、ＬＤドライバ３２０に出力可能に構成されている。【０１２９】
ＤＶＤモジュレータ３７０は、記録データに対してＤＶＤ変調を施し、バッファ３６０に出力可能に構成されている。ＤＶＤ変調として、例えばＥＦＭ（Eight to Fourteen Modulation）変調が施されてもよい。【０１３０】
データＥＣＣ生成器３８０は、インタフェース３９０より入力される記録データに対してエラー訂正用の符号を付加する。具体的には、所定のブロック単位（例えば、ＥＣＣクラスタ単位）毎にＥＣＣコードを付加し、ＤＶＤモジュレータ３７０へ出力する。【０１３１】
インタフェース３９０は、外部入力機器より記録データ等の入力を受け付け、データＥＣＣ生成器３８０へ出力する。また、例えばスピーカやディスプレイ等の外部出力機器に対して、ＲＦ検出器３１２より出力される再生データを出力可能に構成されていてもよい。【０１３２】
ＣＰＵ４００は、最適な記録レーザパワーを検出するために、例えば、ＬＤドライバ３２０、サーボ回路３１５等の各手段へ指示する、即ちシステムコマンドを出力することで、情報記録装置１全体の制御を行う。通常、ＣＰＵ４００が動作するためのソフトウェアは、内部又は外部のメモリ内に格納されている。【０１３３】
（２）動作原理
続いて、図６を参照して、第１実施例に係る情報記録装置１の記録動作について説明する。ここに、図６は、第１実施例に係る情報記録装置の記録動作全体の流れを示すフローチャートである。【０１３４】
図６において、先ず光ディスク１００が装填されると、ＣＰＵ４００の制御下で、光ピックアップ３１０によりシーク動作が行われ、光ディスク１００への記録処理に必要な各種管理用データが取得される。この管理用データに基づいて、ＣＰＵ４００の制御により、例えば外部入力機器等からの指示に応じて、インタフェース３９０を介して光ディスク１００へのデータの記録が行われる。【０１３５】
第１実施例では特に、光ディスク１００の装填後、記録動作を行なう対象となる記録層がＬ０層からＬ１層へと切り替わる際に、夫々の記録層においてＯＰＣを行なう時間が有るか否かが、例えばＣＰＵ４００により判定される（ステップＳ１０１）。係る判定は、例えばＯＰＣ動作に要する時間や、記録動作に係る時間（或いは、記録速度等）や、バッファ３６０の記録容量等に基づき、例えば層切替の際にＯＰＣを行なうことでバッファアンダーランが発生するか否かにより判定してもよい。例えば、バッファアンダーランが発生すると予測されれば、ＯＰＣを行う時間がないと判定してもよい。尚、バッファアンダーランとは、バッファ３６０に蓄積された記録データが無くなり、その結果記録動作中に書き込みエラーが発生する状態を示す。【０１３６】
この判定の結果、ＯＰＣを行なう時間が有ると判定されれば（ステップＳ１０１：Ｙｅｓ）、最初に記録動作を行なう記録層たるＬ０層においてＯＰＣ動作を行い、最適記録レーザパワーを算出する（ステップＳ１０２）。【０１３７】
ここで、ＯＰＣ動作についてより具体的に説明すると、まずＣＰＵ４００による制御下で、光ピックアップ３１０がＯＰＣエリア１１０（１２０）へ移動され、ＯＰＣパターン発生器３４０及びＬＤドライバ３２０等の制御により、順次段階的に（例えば、相互に異なる１６段階の）記録レーザパワーが切り換えられて、ＯＰＣパターンがＯＰＣエリア１１１（１２１）に記録される。ＯＰＣパターンとして、例えば３Ｔパルスに相当する短ピット及び１１Ｔパルスに相当する長ピットを夫々同一の長さの無記録区間と共に交互に形成した記録パターンが一つの例として挙げられる。そして、係るＯＰＣパターンを記録するための信号として、例えばＮＲＺＩ（Non Return to Zero Inverted）変調信号を生成する。【０１３８】
ＬＤドライバ３２０は、このＯＰＣパターン発生器３４０からのＮＲＺＩ変調信号（即ち、ＯＰＣパターン信号）により、記録レーザパワーを順次段階的に切り換えるように、光ピックアップ３１０内の半導体レーザを駆動する。【０１３９】
この際特に、ＣＰＵ４００の制御下で、タイミング生成器３４５において、ウォブル信号の一周期の自然数倍に相当する本発明に係るスロット単位が検出されると共に、タイミング信号が生成される。このタイミング信号に基づいて、記録レーザパワーが段階的に順次切り換られて、ＯＰＣパターンがＯＰＣエリア１１０（１２０）に記録される。【０１４０】
更に、このようなＯＰＣエリア１１０（１２０）への試し書きの完了後には、ＣＰＵ４００の制御下で、該ＯＰＣエリア１１０（１２０）において試し書きされたＯＰＣパターンが再生される。この際特に、ＯＰＣパターンの記録時と同様にして、ＣＰＵ４００の制御下で、タイミング生成器３４５において、ウォブル信号の一周期の自然数倍に相当するスロット単位が検出されると共に、タイミング信号が生成される。このタイミング信号に基づいて、再生されたＯＰＣパターンのサンプリングが順次行われて、最適な記録レーザパワーが検出される。【０１４１】
具体的には、エンベロープ検波器３３０に入力されたＲＦ信号より、当該ＲＦ信号のエンベロープ検波のピーク値及びボトム値がサンプリングされ、データ収集器３５０へ出力される。特に、このＯＰＣパターンをサンプリングするタイミング信号は、ウォブル検出器３２５からのウォブル信号の周期に基づいて、タイミング生成器３４５において生成される。そして、ＣＰＵ４００の制御下で、これらピーク値及びボトム値は、データ収集器３５０へ格納される。その後、このようなＯＰＣパターンの再生が、１回のＯＰＣ処理において、例えば記録されたＯＰＣパターンの回数に応じて行われた後に、最適記録レーザパワーが決定される。即ち、これらのピーク値及びボトム値より求められるアシンメトリが最小となるような最適記録レーザパワーが算出される。【０１４２】
その後、ＣＰＵ４００による制御下で、Ｌ０層へのデータの記録がなされる（ステップ１０３）。具体的には、光ピックアップ３１０が記録エリア（例えば、図２に示したデータ記録エリア１１６等）へ移動され、ＬＤドライバ３２０等の制御により、先に較正された記録レーザパワー（即ち、最適記録レーザパワー）で、記録データに応じてレーザ光が変調されることで、記録エリアへの記録データの記録が行われる。即ち、トラック上に、記録データに応じた記録ピットが形成される。【０１４３】
続いて、Ｌ１層においてＯＰＣ動作を行い、上述したＬ０層におけるＯＰＣ動作と同様に、Ｌ１層における最適記録レーザパワーを算出する（ステップＳ１０４）。この動作は、例えばＬ０層における記録動作が終了したとき（即ち、データ記録エリア１１６の全領域にデータを記録した場合）や、或いはＣＰＵ４００や当該情報記録装置１のユーザの指示に基づき記録層がＬ１層へ切り替えられる際に行われてもよい。その後、ＣＰＵ４００による制御下で、Ｌ１層へのデータの記録がなされる（ステップＳ１０５）。【０１４４】
他方、ステップＳ１０１における判定の結果、ＯＰＣを行なう時間が無いと判定されれば（ステップＳ１０１：Ｎｏ）、Ｌ０層においてまずＯＰＣがなされ、Ｌ０層における最適記録レーザパワーが算出される（ステップＳ１０６）。但し、ステップＳ１０６（或いは、ステップＳ１０２）における動作は、光ディスク１００の最適パワー記録エリア１１１（１２１）に最適Ｐ＃０が予め記録されていれば行なわなくともよい。【０１４５】
そして、ステップＳ１０６にて算出された最適記録レーザパワーにより、Ｌ０層へのデータの記録が行なわれる（ステップＳ１０７）。【０１４６】
続いて、Ｌ１層における最適記録レーザパワーを算出する（ステップＳ１０８）。この動作もまた、上述のステップＳ１０４と同様に、例えばＬ０層における記録動作が終了したとき（即ち、データ記録エリア１１６の全領域にデータを記録した場合）や、或いはＣＰＵ４００や当該情報記録装置１のユーザの指示に基づき記録層がＬ１層へ切り替えられる際に行われてもよい。【０１４７】
より具体的には、ステップＳ１０６にて算出されたＬ０層における最適記録レーザパワーと、比情報記録エリア１１２（１２２）に記録されている比情報より、Ｌ１層における最適記録レーザパワーを算出する。例えば、ステップＳ１０６にて算出されたＬ０層における最適記録レーザパワーが“７．０ｍｗ”であり、Ｌ０層における最適記録レーザパワーを基準としたＬ１層における最適記録レーザパワーの比を示す比情報＃１が“１．１”を示していれば、Ｌ１層における最適記録レーザパワーは、７．０ｍｗ×１．１＝７．７ｍｗとなる。【０１４８】
仮に、ここで比情報＃０（＃１）が記録されていなければ、情報記録装置１は、Ｌ１層におけるＯＰＣエリア１２０を使用して、ＯＰＣ動作を行うことで最適記録レーザパワーを算出する必要がある。即ち、最適記録レーザパワーの算出により多くの処理負担（例えば、ＣＰＵの占有率やその処理時間等）を必要とする。しかるに、第１実施例に係る情報記録装置１によれば、比情報＃０（＃１）を参照することで、比較的容易に最適記録レーザパワーを算出することができるという大きな利点を有する。【０１４９】
尚、比情報がピットにより記録されていれば、例えば本発明における「読込手段」の一具体例たる光ピックアップ３１０から検出される信号より当該比情報を読み込むように構成してもよい。或いは、比情報がＬＰＰにより記録されていれば、例えば本発明における「読込手段」の一具体例たるウォブル検出器３２５により検出されたＬＰＰ信号から、当該比情報を読み込むように構成してもよい。【０１５０】
また、図３に示す差分情報が記録されていれば、当該差分情報よりＬ１層における最適記録レーザパワーを算出してもよい。また、図２に示すように、最適Ｐ＃０及び＃１の双方が記録されている光ディスクであれば、当該最適Ｐ＃０又は＃１を最適記録レーザパワーとして読み込むように構成してもよい。【０１５１】
そして、ＣＰＵ４００による制御下で、ステップＳ１０８にて算出された最適記録レーザパワーにより、Ｌ１層へのデータの記録がなされる（ステップＳ１０９）。【０１５２】
以上の結果、第１実施例に係る情報記録装置１によれば、例えば比情報記録エリア１１２（１２２）等に記録されている比情報等（即ち、比情報、最適記録レーザパワー或いは差分情報）を参照することで、比較的容易に複数の記録層の夫々における最適記録レーザパワーを算出することができる。また、予め光ディスク１００等に、最適記録レーザパワーを示す情報（即ち、比情報や差分情報や最適Ｐ等）を記録しておくことで、複数の記録層を有する光ディスクであっても、夫々の記録層に対応する最適記録レーザパワーを比較的容易に算出することができる。従って、記録パワーの算出に要する処理負担を軽減することができ、記録動作の効率化を図ることができる。【０１５３】
尚、ステップＳ１０１における判定の結果、ＯＰＣを行なう時間があると判定されても、ステップＳ１０６からステップＳ１０９における動作を行なうように構成してもよい。これにより、情報記録装置１におけるＯＰＣを行う処理負担を軽減することができ、より効率的な記録動作を実現することが可能となる。【０１５４】
また、図６における記録動作では、Ｌ０層への記録後Ｌ１層への記録が行なわれているが、Ｌ１層への記録後Ｌ０層への記録が行なわれてもよいし、或いはＬ０層への記録とＬ１層への記録とを適宜切り替えるように構成してもよい。その際、図６に示すフローチャートは、適宜その順序が入れ替わることとなる。【０１５５】
また、情報記録装置１において、後述の第２実施例に係る情報記録装置２の如くメモリ４０１を備えていれば、光ディスク１００より比情報等を読込、且つ該メモリ４０１へ記録するように構成してもよい。そして以後は、該メモリ４０１より比情報を読み込むように構成してもよい。【０１５６】
尚、図５を参照して説明した本実施例に係る情報記録装置１は、情報記録再生装置の実施例も兼ねる。即ち、ヘッドアンプ３１１及びＲＦ検出器３１２を介して、記録情報を再生可能であり、本実施例は、情報再生装置の機能或いは情報記録再生装置の機能を含む。【０１５７】
（情報記録装置の第２実施例）
続いて、図７から図１０を参照して、本発明の情報記録装置に係る第２実施例について説明を進める。第２実施例に係る情報記録装置２は、情報記録装置２自身が、上述した比情報＃０（＃１）や最適Ｐ＃０（＃１）等を記録する態様を採る。尚、上述した第１実施例に係る情報記録装置１と同様の構成には、同様の参照符号及びステップ番号を付与することとし、その詳細な説明を省略する。【０１５８】
（１）基本構成
先ず、図７及び図８を参照して、第２実施例に係る情報記録装置の基本構成について説明する。ここに、図７は、第２実施例に係る情報記録装置の基本構成を概念的に示すブロック図であり、図８は、第２実施例に係る情報記録装置に記録されている比情報の一例を概念的に示すデータ構造図である。【０１５９】
図７に示すように、第２実施例に係る情報記録装置２は、スピンドルモータ３０１、光ピックアップ３１０、ヘッドアンプ３１１、ＲＦ検出器３１２、サーボ回路３１５、ＬＤドライバ３２０、ウォブル検波器３２５、エンベロープ検波器３３０、ＯＰＣパターン生成器３４０、タイミング生成器３４５、データ収集器３５０、バッファ３６０、ＤＶＤモジュレータ３７０、データＥＣＣ生成器３８０、インタフェース３９０、ＣＰＵ４００、メモリ４０１を備えて構成されている。【０１６０】
第２実施例では特に、本発明における「格納手段」の一具体例たるメモリ４０１を含んでいる。メモリ４０１は、例えばＲＯＭ、ＲＡＭ、フラッシュメモリ等の半導体メモリを含んでなり、上述した比情報（或いは、差分情報、最適記録レーザパワー等）が記録されている。【０１６１】
より具体的には、例えば図８に示すように、光ディスクの製造メーカ毎に固有の比情報等が記録されている。尚、図８に示す比情報は、いずれもＬ０層における最適記録レーザパワーを基準値としている。従って、Ｌ０層における比情報は、いずれの製造メーカにおける光ディスクであっても、“１．０”となる。他方、Ｌ１層における最適記録レーザパワーは、例えばＡ社が製造した光ディスクであれば、Ｌ０層における最適記録レーザパワーの１．１倍となる。また、Ｂ社が製造した光ディスクについてのＬ１層における最適記録レーザパワーは、Ｌ０層における最適記録レーザパワーの１．１５倍となる。また、Ｋ社が製造した光ディスクについてのＬ１層における最適記録レーザパワーは、Ｌ０層における最適記録レーザパワーの１．４倍となる。【０１６２】
尚、係る比情報には、もちろん最適記録レーザパワーの値（即ち、最適Ｐ＃０等）が記録されていてもよいし、或いは差分情報が記録されていてもよい。更に、記録位置の変化に応じた比情報であってもよいし、Ｌ０層（或いは、Ｌ１層）の状態の変化に応じた比情報であってもよい。また、その製造メーカの数は、適宜変更できるものであって図８に限定されるものではない。【０１６３】
そして、後述の如く情報記録装置２は、ＣＰＵ４００の制御下で、記録動作時にローディングした光ディスクの種類（例えば、製造メーカの種別等）に基づいて、メモリ４０１に記録されている比情報から、当該光ディスクの製造メーカに適合した比情報等を読み込む。そして、メモリ４０１から読み込まれた比情報等に基づいて、最適記録レーザパワーを算出する。係る動作については、後に詳述する（図９及び図１０参照）。【０１６４】
もちろん、上述した実施例に係る情報記録媒体の如く、比情報（或いは、差分情報）が記録されている光ディスクに記録する際には、メモリ４０１に記録されている比情報よりも、光ディスクに記録されている比情報等を優先的に適用して最適記録レーザパワーを算出してもよい。いずれを優先するかは、例えば情報記録装置２のユーザ等により選択可能に構成されていてもよいし、予めどちらかを優先するように設定しておいてもよい。【０１６５】
（２）動作原理
続いて、図９及び図１０を参照して、第２実施例に係る情報記録装置の基本構成について説明する。ここに、図９は、第２実施例に係る情報記録装置の記録動作全体の流れを示すフローチャートであり、図１０は、光ディスク上に記録されているディスク識別情報を示すデータ構造図である。【０１６６】
図９に示すように、情報記録装置２は、図６にて説明した動作と同様に、光ディスク１００の装填後、記録動作を行なう対象となる記録層がＬ０層からＬ１層へと切り替わる際に、夫々の記録層においてＯＰＣを行なう時間があるか否かが、例えばＣＰＵ４００により判定される（ステップＳ１０１）。【０１６７】
この判定の結果、ＯＰＣを行なう時間があると判定されれば（ステップＳ１０１：Ｙｅｓ）、図５におけるステップＳ１０２からステップＳ１０５における動作と同様の動作が行なわれ、Ｌ０層及びＬ１層にデータが記録される。【０１６８】
他方、ステップＳ１０１における判定の結果、ＯＰＣを行なう時間がないと判定されれば（ステップＳ１０１：Ｎｏ）、続いて、本発明における「第２選択手段」の一具体例たるＣＰＵ４００の制御下で、光ディスク１００等に比情報等が記録されているか否かを判定する（ステップＳ２０１）。これは、例えばＣＰＵ４００の制御下で、リードインエリア１１４（１２４）をシークし、比情報記録エリア１１２（１２２）に比情報が記録されているか否か、また最適パワー記録エリア１１１（１２１）に最適Ｐ＃０（＃１）が記録されているか否か、また差分情報記録エリア１１３（１２３）に差分情報が記録されているか否か等に基づいて判断してもよい。【０１６９】
この判定の結果、光ディスク１００等に比情報等が記録されていると判定された場合には（ステップＳ２０１：Ｙｅｓ）、図６におけるステップＳ１０６からステップＳ１０９における動作と同様の動作が行なわれ、Ｌ０層及びＬ１層にデータが記録される。このように、光ディスク１００に比情報が記録されていると判定された場合には、当該比情報等をメモリ４０１に記録するように構成してもよい。【０１７０】
他方、光ディスク１００等に比情報等が記録されていないと判定された場合（ステップＳ２０１：Ｎｏ）、続いて、情報記録装置２が比情報等を有しているか否かが、例えば本発明における「判定手段」の一具体例たるＣＰＵ４００により判定される（ステップＳ２０２）。ここでは、例えばメモリ４０１内に比情報、最適記録レーザパワー或いは差分情報が記録されているか否かをシークすることで判定してもよい。【０１７１】
この判定の結果、情報記録装置２が比情報等を有していると判定された場合（ステップＳ２０２：Ｙｅｓ）、ステップＳ１０６からステップＳ１０９における動作と同様の動作が行なわれ、Ｌ０層及びＬ１層へデータの記録が行なわれる。特に、ステップＳ１０８におけるＬ１層の最適記録レーザパワーの算出動作時には、メモリ４０１に記録されている比情報等を参照して、最適記録レーザパワーを算出する。【０１７２】
このとき、図８に示す如くメモリ４０１に複数の製造メーカの比情報が記録されていれば、図１０に示すようなディスク識別情報１１５を参照することで、記録対象となっている光ディスク１００に適切な比情報を参照することが好ましい。図１０に示すように、ディスク識別情報１１５は、例えばリードインエリア１１４内に記録されており、夫々の光ディスクがいずれの製造メーカによって製造されたものであるかを示している。例えば、Ａ社が製造した光ディスクであれば、ディスク識別情報１１５は、当該光ディスクはＡ社により製造されている旨を示す情報を有している。そして、係るディスク識別情報１１５が、例えば本発明の「第１選択手段」の一具体例たるＣＰＵ４００により読み込まれ、メモリ４０１より適切な比情報が選択される。【０１７３】
また、製造メーカの相違に限らず、例えば製造条件の違いや光ディスクの品番等に対応して、複数の比情報を有するように構成してもよい。【０１７４】
再び図９において、情報記録装置２が比情報等を有していないと判定された場合（ステップＳ２０２：Ｎｏ）、Ｌ０層においてＯＰＣ動作を行うことで、Ｌ０層における最適記録レーザパワーを算出し（ステップＳ１０２）、続いてＬ１層においてＯＰＣ動作を行なうことで、Ｌ１層における最適記録レーザパワーを算出する（ステップＳ１０３）。【０１７５】
続いて、ステップＳ１０２及びＳ１０３において算出した夫々の層における最適記録レーザパワーの比（即ち、比情報）を算出する（ステップＳ２０３）。例えば、Ｌ０層における最適記録レーザパワーを基準とする比情報を算出してもよいし、或いはＬ１層における最適記録レーザパワーを基準とする比情報を算出してもよい。加えて、差分情報を算出するように構成してもよい。【０１７６】
そしてこの場合、算出した比情報をメモリ４０１に記録しておくことが好ましい。これにより、後に比情報が必要となった場合において、当該比情報を適宜参照することが可能となる。尚、メモリ４０１に記録しなくとも、例えば光ディスク１００に記録するように構成してもよい。また、差分情報や最適記録レーザパワーを記録するように構成してもよい。【０１７７】
その後は、ステップＳ１０７からステップＳ１０９における動作と同様の動作が行なわれ、Ｌ０層及びＬ１層にデータが記録される。特に、ステップＳ１０８におけるＬ１層の最適記録レーザパワーの算出動作時には、ステップＳ２０３において算出された比情報等を参照して、最適記録レーザパワーを算出する。【０１７８】
以上の結果、第２実施例に係る情報記録装置によれば、例えばメモリ４０１に記録されている比情報等を参照することで、比較的容易に複数の記録層の夫々における最適記録レーザパワーを算出することができる。特に、光ディスク１００等に、最適記録レーザパワーを示す情報（即ち、比情報や差分情報や最適Ｐ等）が記録されていなくとも、情報記録装置２自身が当該比情報等を有しているため、最適記録レーザパワーを算出することができる。従って、第１実施例に係る情報記録装置１が有する利点に加えて、比情報記録エリア１１２（１２２）等を有していない光ディスク（いわゆる、従来普及している光ディスク）であっても、記録パワーの算出に要する処理負担を軽減することができ、記録動作の効率化を図ることができるという大きな利点を有する。【０１７９】
尚、図９にて説明した動作は、光ディスク１００に比情報等が記録されていれば、その比情報を優先的に用いるように構成されているが、もちろんメモリ４０１に記録されている比情報等を優先的に用いるように構成してもよい。また、上述のように、光ディスクに比情報等が記録されているか、又はメモリに比情報等が格納されているかによらずとも、いずれに記録された比情報等を用いるかを、本発明の「第２選択手段」の一具体例たるＣＰＵ４００の動作により選択してもよい。【０１８０】
また、メモリ４０１には、例えば当該情報記録装置２の製造メーカ等により、その製造時に予め比情報等を記録するように構成してもよいし、或いは、ＣＤ−ＲＯＭやＤＶＤ−ＲＯＭ等の光ディスク、ＩＣカードやメモリスティック、ＳＤカード等のリムーバル型メディアを用いて、適宜記録するように構成してもよい。或いは、有線や無線の形態を採るネットワーク経由で適宜記録するように構成してもよい。【０１８１】
また、上述の実施例では、情報記録媒体の一例として光ディスク１００及び情報記録装置の一例として光ディスク１００に係るレコーダについて説明したが、本発明は、光ディスク及びそのレコーダに限られるものではなく、他の高密度記録或いは高転送レート対応の各種情報記録媒体並びにそのレコーダにも適用可能である。【０１８２】
本発明は、上述した実施例に限られるものではなく、請求の範囲及び明細書全体から読み取れる発明の要旨或いは思想に反しない範囲で適宜変更可能であり、そのような変更を伴なう情報記録媒体、情報記録装置及び方法、並びに、記録制御用のコンピュータプログラムもまた本発明の技術的範囲に含まれるものである。
【産業上の利用可能性】
【０１８３】
本発明に係る情報記録装置及び方法、情報記録再生装置及び方法並びにコンピュータプログラムは、例えばＤＶＤレコーダ等の情報記録装置及び方法、情報記録再生装置及び方法、並びにコンピュータをこのような情報記録装置や情報記録再生装置として機能させるコンピュータプログラムに利用可能である。
【図１】
2005031719.tif 000003
【図２】
2005031719.tif 000004
【図３】
2005031719.tif 000005
【図４】
2005031719.tif 000006
【図５】
2005031719.tif 000007
【図６】
2005031719.tif 000008
【図７】
2005031719.tif 000009
【図８】
2005031719.tif 000010
【図９】
2005031719.tif 000011
【図１０】
2005031719.tif 000012
【手続補正書】
【提出日】平成18年3月29日(2006.3.29)
【手続補正１】
【補正対象書類名】特許請求の範囲
【補正対象項目名】全文
【補正方法】変更
【補正の内容】
【特許請求の範囲】
【請求項１】
レーザ光を照射して情報を記録するための複数の記録層を備えた情報記録媒体であって、
前記複数の記録層の少なくとも一つは、(i)前記複数の記録層のうち一の記録層に前記情報を記録する際の最適記録パワー及び、(ii)前記一の記録層に前記情報を記録する際の最適記録パワーと前記複数の記録層のうち少なくとも他の記録層の記録状態に応じた該他の記録層に前記情報を記録する際の最適記録パワーの比を示す比情報が記録される管理情報領域を有することを特徴とする情報記録媒体。
【請求項２】
前記管理情報領域は、前記複数の記録層毎に設けられていることを特徴とする請求項１に記載の情報記録媒体。
【請求項３】
前記管理情報領域には、前記比情報として、前記一の記録層における前記最適記録パワーを基準値として、前記複数の記録層毎の前記最適記録パワーの比を示す情報が記録されていることを特徴とする請求項１に記載の情報記録媒体。
【請求項４】
前記管理情報領域には、前記比情報に加えて又は代えて、前記複数の記録層毎の前記最適記録パワーの差分を示す差分情報が記録されていることを特徴とする請求項１に記載の情報記録媒体。
【請求項５】
前記管理情報領域には、前記複数の記録層の夫々に係る状態に応じた前記比情報が記録されていることを特徴とする請求項１に記載の情報記録媒体。
【請求項６】
前記管理情報領域には、前記複数の記録層の夫々に係る記録位置に応じた前記比情報が記録されていることを特徴とする請求項１に記載の情報記録媒体。
【請求項７】
情報を記録するための複数の記録層を有する情報記録媒体に前記情報を記録する情報記録装置であって、
(i)前記複数の記録層のうち一の記録層に前記情報を記録する際の最適記録パワー、及び(ii)前記一の記録層に前記情報を記録する際の最適記録パワーと前記複数の記録層のうち少なくとも他の記録層の記録状態に応じた該他の記録層に前記情報を記録する際の最適記録パワーの比を示す比情報を格納する格納手段と、
前記格納手段に格納される比情報に応じた記録パワーにて、前記複数の記録層のうち少なくとも一つへ前記情報を記録する記録手段と
を備えることを特徴とする情報記録装置。
【請求項８】
前記格納手段には、前記情報記録媒体の種類に対応した前記比情報が格納され、
前記情報記録媒体の前記種類を識別して、前記格納手段に格納される前記比情報のうちから対応する比情報を選択する第１選択手段を更に備え、
前記記録手段は、前記第１選択手段により選択された比情報に応じた記録パワーにて、前記情報を記録することを特徴とする請求項７に記載の情報記録装置。
【請求項９】
前記格納手段には、前記比情報として、前記一の記録層の前記最適記録パワーを基準値として、前記複数の記録層毎の前記最適記録パワーの比を示す情報が記録されていることを特徴とする請求項７に記載の情報記録装置。
【請求項１０】
前記複数の記録層の少なくとも一つには、前記比情報が記録される管理情報領域を有しており、
前記管理情報領域から前記比情報を読み込む読込手段を更に備えており、
前記格納手段は、前記読み込まれた比情報を格納することを特徴とする請求項７に記載の情報記録装置。
【請求項１１】
前記格納手段に前記比情報が格納されているか否かを判定する判定手段を更に備えており、
前記格納手段には、前記比が格納されていないと判定された場合、前記管理情報領域から読み込まれた前記比情報が格納されることを特徴とする請求項１０に記載の情報記録装置。
【請求項１２】
前記格納手段に前記比情報が格納されているか否かを判定する判定手段と、
前記比が格納されていないと判定された場合、前記複数の記録層のうち少なくとも一つの記録層において記録パワーの較正を行なうことで前記比を求め、且つ該求められた比を前記比情報として格納手段に格納する較正手段と
を更に備えることを特徴とする請求項７に記載の情報記録装置。
【請求項１３】
前記較正手段は、前記比情報を前記情報記録媒体及び前記格納手段のうち少なくとも一方に記録することを特徴とする請求項１０に記載の情報記録装置。
【請求項１４】
前記格納手段には、前記比情報に代えて又は加えて、前記情報を記録する際における前記複数の記録層毎の最適記録パワーの差分を示す差分情報及び前記情報を記録する際における前記複数の記録層毎の最適記録パワーの絶対値を示すパワー情報のうち少なくとも一方が格納されていることを特徴とする請求項７に記載の情報記録装置。
【請求項１５】
請求項１に記載の情報記録媒体に情報を記録する情報記録装置であって、
前記管理情報領域に記録された比情報を読み込む読込手段と、
前記読み込まれた比情報に応じた記録パワーにて、前記情報を前記複数の記録層のうち少なくとも一つへ記録する記録手段と
を備えることを特徴とする情報記録装置。
【請求項１６】
前記情報を記録する際における前記複数の記録層毎の最適記録パワーの比を示す比情報を格納する格納手段と、
前記格納手段に格納された比情報及び前記管理情報領域に記録された比情報のいずれかを選択する第２選択手段と
を更に備え、
前記読込手段は、前記第２選択手段が選択した比情報を読み込むことを特徴とする請求項１５に記載の情報記録装置。
【請求項１７】
情報を夫々記録するための複数の記録層を有する情報記録媒体に前記情報を記録する情報記録装置における情報記録方法であって、
(i)前記複数の記録層のうち一の記録層に前記情報を記録する際の最適記録パワー、及び(ii)前記一の記録層に前記情報を記録する際の最適記録パワーと前記複数の記録層のうち少なくとも他の記録層の記録状態に応じた該他の記録層に前記情報を記録する際の最適記録パワーの比を示す比情報を格納する格納手段を備えており、
前記格納されている比情報を読み込む読込工程と、
前記読み込まれた比情報に応じた記録パワーにて、前記情報を前記複数の記録層のうち少なくとも一つの層へ記録する記録工程と
を備えることを特徴とする情報記録方法。
【請求項１８】
請求項１に記載の情報記録媒体に情報を記録する情報記録方法であって、
前記管理情報領域に記録された比情報を読み込む読込工程と、
前記読み込まれた比情報に応じた記録パワーにて、前記情報を前記複数の記録層のうち少なくとも一つへ記録する記録工程と
を備えることを特徴とする情報記録装方法。
【請求項１９】
請求項７に記載の情報記録装置と、
前記情報記録媒体から前記記録された情報を再生する再生手段と
を備えることを特徴とする情報記録再生装置。
【請求項２０】
請求項１７に記載の情報記録方法と、
前記情報記録媒体から前記記録された情報を再生する再生工程と
を備えることを特徴とする情報記録再生方法。
【請求項２１】
請求項７に記載の情報記録装置に備えられたコンピュータを制御する記録制御用のコンピュータプログラムであって、該コンピュータを、前記記録手段として機能させることを特徴とするコンピュータプログラム。
【請求項２２】
請求項１５に記載の情報記録装置に備えられたコンピュータプログラムを制御する記録制御用のコンピュータプログラムであって、該コンピュータを、前記読込手段及び前記記録手段のうち少なくとも一方として機能させることを特徴とするコンピュータプログラム。
【請求項２３】
請求項１９に記載の情報記録再生装置に備えられたコンピュータプログラムを制御する記録再生制御用のコンピュータプログラムであって、該コンピュータを、前記情報記録装置及び前記再生手段のうち少なくとも一部として機能させることを特徴とするコンピュータプログラム。
【請求項２４】
レーザ光を照射して情報を記録するための複数の記録層を備えた情報記録媒体であって、
前記複数の記録層の少なくとも一つは、前記情報を記録する際における前記複数の記録層毎の最適記録パワーの差分を示す差分情報が記録される管理情報領域を有することを特徴とする情報記録媒体。
【請求項２５】
情報を記録するための複数の記録層を有する情報記録媒体に前記情報を記録する情報記録装置であって、
前記情報を記録する際における前記複数の記録層毎の最適記録パワーの差分を示す差分情報を格納する格納手段と、
前記格納手段に格納される差分情報に応じた記録パワーにて、前記複数の記録層のうち少なくとも一つへ前記情報を記録する記録手段と
を備えることを特徴とする情報記録装置。
【請求項２６】
情報を夫々記録するための複数の記録層を有する情報記録媒体に前記情報を記録する情報記録装置における情報記録方法であって、
前記情報記録装置は、前記情報を記録する際における前記複数の記録層毎の最適記録パワーの差分を示す差分情報を格納する格納手段を備えており、
前記格納されている差分情報を読み込む読込工程と、
前記読み込まれた差分情報に応じた記録パワーにて、前記情報を前記複数の記録層のうち少なくとも一つの層へ記録する記録工程と
を備えることを特徴とする情報記録方法。
【国際調査報告】
2005031719.tif 000013
2005031719.tif 000014
2005031719.tif 000015
2005031719.tif 000016
2005031719.tif 000017
2005031719.tif 000018